(57)【要約】【課題】映像表示可能な携帯端末のディスプレイに表示される映像を手軽に拡大して投影できる映像投影機能付き包装容器であって、映像投影用途以外にも包装容器としての利用が可能で、かつ、組み立てが容易な映像投影機能付き包装容器を提供することを課題とする。【解決手段】包装箱の中にレンズ部材と、映像表示可能な携帯端末を保持する端末保持部材と、が収納され、前記レンズ部材は、前記包装箱の前後面に略平行に配置する仕切り部材の左右略中央にレンズを保持してなり、前記レンズ部材の前記レンズと対向する位置の前記包装箱の前面にはレンズ孔形成部が設けられていていることを特徴とする映像投影機能付き包装容器。【選択図】図２
2018120079.tif 000002
【特許請求の範囲】
【請求項１】
包装箱の中にレンズ部材と、映像表示可能な携帯端末を保持する端末保持部材と、が収納され、
前記レンズ部材は、前記包装箱の前後面に略平行に配置する仕切り部材の左右略中央にレンズを保持してなり、
前記レンズ部材の前記レンズと対向する位置の前記包装箱の前面にはレンズ孔形成部が設けられていることを特徴とする映像投影機能付き包装容器。
【請求項２】
請求項１に記載の包装容器であって、
前記包装箱の中には、輸送時の収納物品の位置ずれを防止する中仕切り部材が収納されていることを特徴とする映像投影機能付き包装容器。
【請求項３】
請求項２に記載の包装容器であって、
前記中仕切り部材は、前記レンズ部材の前記レンズを保護するレンズ保護部を有していることを特徴とする映像投影機能付き包装容器。
【発明の詳細な説明】
【技術分野】
【０００１】
本発明は、スマートフォン等の映像表示可能な携帯端末に表示される映像を投影する映像投影機能付き包装容器に関する。
【背景技術】
【０００２】
近年、スマートフォンやＰＤＡ（Ｐｅｒｓｏｎａｌ  Ｄｉｇｉｔａｌ  Ａｓｓｉｓｔａｎｔ若しくはＰｅｒｓｏｎａｌ  Ｄａｔａ  Ａｓｓｉｓｔａｎｃｅ）等の映像表示可能な携帯端末には大量のデータが収納及び表示されるようになっており、これらの映像表示可能な携帯端末の使用者は、収納されたデータ若しくはインターネットからダウンロードした映像のデータの編集及び閲覧を、場所を選ばず手軽に行うことができる。
【０００３】
このような映像表示可能な携帯端末で表示される情報には使用者個人で見るものだけでなく、複数人が同時に見るべき情報も多くあるが、映像表示可能な携帯端末のディスプレイは小さいため、複数人で見るのは難しい。そのため、映像表示可能な携帯端末のディスプレイに表示された映像を大きく拡大して見ることができる投影機能が望まれている。
【０００４】
従来、こうした投影機能を実現する方法としては、映像表示可能な携帯端末をパソコンやプロジェクタに接続して投影する方法が行われてきた（例えば、特許文献１）。
特許文献１のように携帯電子機器をパソコンやプロジェクタに接続して投影する方法では、携帯電子機器の映像を投影できる場所が、パソコンやプロジェクタを設置できる場所に限定されてしまい、携帯電子機器が持つ手軽さを低減することになってしまっていた。
また、プロジェクタは透過型液晶ディスプレイと光源を有するので高価であり、音声を再生する場合にはプロジェクタ本体だけでなく、アンプとスピーカーも必要になるため、使用者が思いついた時に手軽に投影することはできなかった。
【０００５】
投影機能を実現する別の方法として、映像表示可能な携帯端末自体にプロジェクタを組み込む方法もある（例えば、特許文献２）。
しかし、特許文献２のように携帯電子機器自体にプロジェクタを組み込んだ場合には、使用者が携帯電子機器を手に持った状態で壁等に向かって投影するか、投影画像の手振れを防止するために、携帯電子機器を壁に向かって立てられる支持部材を用意する必要があった。
使用者自らが映像表示可能な携帯端末を手に持つ場合には、使用者自身は拡大された映像の近くに行くことができないため、他の映像閲覧者と拡大映像の近くで議論することができず、会議には不向き等用途が限定されてしまっていた。
一方、支持部材を用意する場合にも、ちょうど良い支持部材を探すまでに時間がかかったり、支持部材になるものが設置されている場所に限定されてしまったりするため、携帯電子機器が持つ手軽さを低減することになってしまっていた。
【０００６】
このような問題を解決する方法として、映像表示可能な携帯端末を紙製の筐体内に固定し、前記筐体にセットされたレンズで前記筐体の全面に拡大投影する簡易投影装置も提案されている（例えば、特許文献３）。
しかし、特許文献３のような簡易投影装置は、レンズを保持する筒状の部材を始めとする外側筐体以外の全ての部材を使用者が一から組み立てなければならず、組み立て作業が煩雑であるという問題があった。
【先行技術文献】
【特許文献】
【０００７】
【特許文献１】特開２０１０−２３２９３１号公報
【特許文献２】特開２００７−０３６８４３号公報
【特許文献３】登録実用新案第３２０２５７０号公報
【発明の概要】
【発明が解決しようとする課題】
【０００８】
本発明は上記のような事情に鑑みてなされたもので、映像表示可能な携帯端末のディスプレイに表示される映像を手軽に拡大して投影できる映像投影機能付き包装容器であって、映像投影用途以外にも包装容器としての利用が可能で、かつ、組み立てが容易な映像投影機能付き包装容器を提供することを課題とする。
【課題を解決するための手段】
【０００９】
本発明は係る課題に鑑みなされたものであり、本発明の映像投影機能付き包装容器は、包装箱の中にレンズ部材と、映像表示可能な携帯端末を保持する端末保持部材と、が収納され、前記レンズ部材は、前記包装箱の前面に略平行に配置する仕切り部材の左右略中央にレンズを保持してなり、前記レンズ部材の前記レンズと対向する位置の前記包装箱の前記前面にはレンズ孔形成部が設けられていることを特徴とする。
【００１０】
また、本発明の映像投影機能付き包装容器の前記包装箱の中には、輸送時の収納物品の位置ずれを防止する中仕切り部材が収納されていても良い。
このとき、前記中仕切り部材は、前記レンズ部材の前記レンズを保護するレンズ保護部を有していても良い。
【発明の効果】
【００１１】
本発明の映像投影機能付き包装容器は、レンズ孔形成部を有する包装箱と、レンズ部材と、映像表示可能な携帯端末を保持する端末保持部材と、で構成されており、映像投影機能を有するための必要最低限の簡素な部材のみで構成されているため、非常に安価に提供することが可能である。
加えて、映像投影用途として利用しない場合にも、前記レンズ部材を箱の中を仕切る仕切り部材として利用することにより、当該映像投影機能付き包装容器を仕切り部材付きの包装容器として利用することが可能である。
さらに、前記レンズ部材は、仕切り部材の左右略中央にレンズを保持した状態に予め組み立てられているため、使用者が前記レンズ部材を組み立てるという煩雑な作業が発生しない。
【００１２】
また、本発明の映像投影機能付き包装容器は、前記包装箱の中に、輸送時の収納物品の位置ずれを防止する中仕切り部材が収納されていることにより、輸送時に収納物品が動いて前記レンズ部材の前記レンズ部分を傷つけたり、仕切り部材として収納されている前記レンズ部材の位置がずれて何らかの破損が生じたりする可能性を低減することが可能となる。
【００１３】
また、前記中仕切り部材に、前記レンズ部材の前記レンズを保護するレンズ保護部を備えることにより、本発明の映像投影機能付き包装容器を物品収納の包装容器として利用する場合に、前記レンズ部材の前記レンズを傷つける虞が無い。
【図面の簡単な説明】
【００１４】
【図１】本発明の映像投影機能付き包装容器の第１の実施形態における各部材の展開図を模式的に示した説明図である。
【図２】本発明の映像投影機能付き包装容器の第１の実施形態を包装容器として利用する場合の、各部材を組み立てた状態を模式的に示した説明図である。
【図３】本発明の映像投影機能付き包装容器を映像投影装置として利用する場合の第１の手順を模式的に示した説明図である。
【図４】本発明の映像投影機能付き包装容器を映像投影装置として利用する場合の第２の手順を模式的に示した説明図である。
【図５】本発明の映像投影機能付き包装容器を映像投影装置として利用する場合の利用状態を模式的に示した説明図である。
【図６】本発明の映像投影機能付き包装容器の第２の実施形態における各部材の展開図を模式的に示した説明図である。
【図７】本発明の映像投影機能付き包装容器の第２の実施形態を包装容器として利用する場合の状態を模式的に示した説明図であり、（ａ）は各部材を組み立てた状態、（ｂ）は中仕切り部材とレンズ部材とを包装箱内に収納した状態を示す。
【発明を実施するための形態】
【００１５】
＜第１の実施形態＞
以下、本発明を実施するための第１実施形態につき図１〜図５を参照して説明する。ここで、図３〜図５においては、包装箱２の内部を示す都合上、蓋部材３を省略している。
【００１６】
本発明の映像投影機能付き包装容器１は、包装箱２、蓋部材３、レンズ部材４、左側端末保持部材５１及び右側端末保持部材５２の一対の端末保持部材５から構成され、それぞれ図１に示すような１枚のブランクシートを折り曲げ組み立てることにより形成される。
【００１７】
包装箱２及び蓋部材３を構成するブランクシートは商品を包装した状態で輸送することを考慮した強度と映像投影装置として十分な程度の遮光性を有する材料であれば良く、安価で加工を容易にすることも考慮すれば、具体的には両面段ボールや複両面段ボール等の段ボール紙、白ボール紙等の板紙、若しくは厚紙であることが好ましい。また、そのおもて面や裏面に樹脂層などが設けられていても良い。
【００１８】
なお、本実施形態においては、包装箱２と蓋部材３を別々のブランクシートとし、それぞれの１つの面同士を貼着することにより蓋付き包装箱の形態を成すように構成しているが、包装箱２と蓋部材３を一体化し、蓋付き包装箱を１枚のブランクシートから構成するようにしても良い。
【００１９】
包装箱２を構成するブランクシートは、図１に示すように、前面板２２、底面板２４、後面板２３の順に折り曲げ線を介して連設されている。
ここで、本実施形態における前面板２２は、外側前面板２２ａ、接続板２２ｂ、及び内側前面板２２ｃの３つの板から構成され、接続板２２ｂを上面として外側前面板２２ａと内側前面板２２ｃが対向するように組み立てる二重壁構造となっている。後面板２３についても前面板２２と同様に、外側後面板２３ａ、接続板２３ｂ、内側後面板２３ｃの３つの板から構成される二重壁構造としている。これにより、映像投影機能付き包装容器１を包装容器として利用する場合の強度を高めることができると共に、映像投影装置として利用する場合の遮光性をより高めることも可能となる。ただし、本発明の映像投影機能付き包装容器１を実施するに当たり、必ずしも二重壁構造とする必要はなく、前面板２２及び後面板２３をそれぞれ１つの板で構成するのであっても良い。
そして、底面板２４の左右にはそれぞれ、側面板２５、２５が折り曲げ線を介して連設され、側面板２５の上下両端には側面フラップ２６、２６が連接されている。
ここで、本実施形態における側面板２５、２５は前面板２２及び後面板２３と同様に、外側側面板２５ａ、接続板２５ｂ、及び内側側面板２５ｃの３つの板から構成される二重壁構造としている。また、側面フラップ２６は、外側側面板２５ａの上下両端には外側側面フラップ２６ａが、内側側面板２５ｃの上下両端には内側側面フラップ２６ｂが、それぞれ連接されている。
【００２０】
外側前面板２２ａ及び内側前面板２２ｃの左右略中央には、外側前面板２２ａと内側前面板２２ｃが対向するように組み立てた際に、対向する位置にそれぞれレンズ孔形成部２１が設けられている。
本実施形態においては、外側前面板２２ａに設けるレンズ孔形成部２１は予めレンズ形状に切り抜いた外側レンズ孔２１ａとし、内側前面板２２ｃに設けるレンズ孔形成部２１は、映像投影機能付き包装容器１を投影装置として利用する際に切り取るように、切り込み線で区画した内側レンズ孔形成部２１ｂとしている。外側レンズ孔２１ａは、蓋部材３を外側前面板２２ａの外表面に貼着して塞がれる部分であるため、予め切り抜いて孔を形成している。これに対し、内側レンズ孔形成部２１ｂは、映像投影機能付き包装容器１を包装容器として利用する場合に、収納物品が接する部分であることから、予め切り抜いて孔の状態としてしまうと、当該孔に収納物品が入り込んだり引っ掛かったりする等して当該孔が変形したり周縁部が切り裂かれてしまったりする虞がある。そのため、内側レンズ孔形成部２１ｂは切り込み線で区画して形成する。ここで、前面板２２を１つの板で構成する場合には当然に、レンズ孔形成部２１は切り抜かずに切り込み線で区画した状態で形成する。
【００２１】
後面板２３を構成する外側後面板２３ａと接続板２３ｂの境界部には、後述する蓋部材３の差し込み片３３を挿入する蓋係止部２８が形成されている。
【００２２】
底面板２４の所定位置には、図１に示すように、映像投影機能付き包装容器１を投影装置として利用する場合に端末保持部材５を設置する位置を示す端末保持部材設置場所２７が表示されている。端末保持部材設置場所２７の表示方法は特に限定されず、底面板２４に印刷するのであっても良いし、半切り加工線や切り込み線を用いて示すのでも良いし、端末保持部材５を底面板２４上に設置する際に使う両面テープを予め底面板２４上に貼り付けておくことにより示すのであっても良い。また、図１では端末保持部材設置場所２７を略四角形状で表示しているが、これに限らず、中心点や隅部のみを表示するのであっても良いし、様々な映像表示可能な携帯端末６の大きさに対応できるように、ある程度の幅を持った表示としても良い。なお、端末保持部材設置場所２７の表示は、映像投影機能付き包装容器１を投影装置として利用する際の利便性を考慮したものであり、本発明における必須の構成要素では無い。
【００２３】
端末保持部材設置場所２７の表示位置は、端末保持部材設置場所２７上に配置した端末保持部材５によって保持された映像表示可能な携帯端末６のディスプレイ６１がレンズ４０と正対し、レンズ４０の焦点距離以上離れた位置になるように設定する。
レンズ４０とディスプレイ６１との間の距離は、レンズ４０の焦点距離より長ければ良い。焦点距離よりも少しだけ長い距離とすれば遠くに大きな実像を投影することができ、逆に焦点距離よりもかなり長い距離とすれば近くにそれほど大きくない実像を投影することができる。画像を見る人数に合わせて調整することができるため、包装箱２内に表示する端末保持部材設置場所２７は、１０人程度の大人数で見る場合の位置と５人程度の標準位置、２人程度が近くで鑑賞する場合の位置等の複数通りを示すものであっても良い。
【００２４】
次に、包装箱２を図１に示すブランクシートの状態から上面開口の箱形態へと組み立てる際の組み立てについて説明する。
【００２５】
包装箱２を組み立てる際は、底面板２４の上下左右に連接する外側前面板２２ａ、外側後面板２３ａ、外側側面板２５ａ、２５ａをそれぞれ折り立てる。
その後、外側側面板２５ａ、２５ａに連接する接続板２５ｂ、２５ｂ及び内側側面板２５ｃ、２５ｃを折り曲げ線で折り曲げて、接続板２５ｂ、２５ｂが上面に、外側側面板２５ａと内側側面板２５ｃとが対向するように組み立てて二重壁を形成する。このとき、外側
側面板２５ａに連設する外側側面フラップ２６ａは、外側前面板２２ａ及び外側後面板２３ａの内側表面に外側側面フラップ２６ａの外側表面が接するように折り曲げられ、内側側面板２５ｃに連接する内側側面フラップ２６ｂは、外側側面フラップ２６ａの内側に重なるように折り曲げられる。
その後、外側前面板２２ａに連接する接続板２２ｂ及び内側前面板２２ｃを折り曲げ線で折り曲げて、接続板２２ｂが上面に、外側前面板２２ａと内側前面板２２ｃとが対向するように組み立てて二重壁を形成する。このとき、外側側面フラップ２６ａ及び内側側面フラップ２６ｂを外側前面板２２ａ及び内側前面板２２ｃの間に挟むようにする。
外側後面板２３ａに連設する接続板２３ｂ及び内側後面板２３ｃも同様に二重壁を形成し、外側側面フラップ２６ａ及び内側側面フラップ２６ｂを外側後面板２３ａ及び内側後面板２３ｃの間に挟むようにする。これにより、図２に示すような上面開口の箱形態への組み立てが完了する。
【００２６】
次に、蓋部材３について説明する。蓋部材３を構成するブランクシートは、図１に示すように、前面板貼り付け部３１、蓋板３２の順に折り曲げ線を介して連設され、蓋板３２の先端部の左右略中央には差し込み片３３が形成されている。
また、前面板貼り付け部３１には蓋部材レンズ孔形成部３４が切り込み線で区画されている。ここで、蓋部材レンズ孔形成部３４は、蓋部材３の前面板貼り付け部３１を包装箱２の前面板２２（外側前面板２２ａ）の外側表面に貼着した際に、前面板２２に形成されているレンズ孔形成部２１（外側レンズ孔２１ａ及び内側レンズ孔形成部２１ｂ）と対向する位置に形成する。
蓋部材３は、図２に示すように、前面板貼り付け部３１を包装箱２の前面板２２（外側前面板２２ａ）の外側表面に貼着し、蓋板３２が包装箱２の底面板２４に対向するように折り曲げ、差し込み片３３を包装箱２の後面板２３に設けられた蓋係止部２８に差し込むことにより、遮光性を有する略直方体形状の蓋付き包装箱とすることが可能となる。
なお、包装箱２と蓋部材３を別部材とせずに蓋付き包装箱を形成するのでも良いことは前述の通りである。
【００２７】
次に、レンズ部材４について説明する。レンズ部材４を構成するブランクシートは、レンズ４０を収納した状態で起立状態を保持することが可能で、かつ、包装箱２の仕切り部材としての役割も果たすことが可能な程度の強度を備えていれば良く、具体的には厚紙や段ボール紙が好適に使用される。
【００２８】
レンズ部材４を構成するブランクシートは、図１に示すように、内板４６、接続板４５、後面板４４、上面板４３、前面板４２、底面板４１の順に折り曲げ線を介して連設され、底面板４１の先端部には、後面板４４と接続板４５の境界部に設けられた係止部４９ｂに差し込んで係止する差し込み片４９ａが設けられている。ここで、前面板４２及び後面板４４を含むレンズ部材４を構成するブランクシートの横幅は、レンズ部材４を包装箱２の前後面に略平行に配置する仕切り部材として利用するため、包装箱２の側壁の内側に密接する長さとする。
また、本実施形態において、差し込み片４９ａ及び係止部４９ｂは２つずつ設けられているが、これに限らず、レンズ部材４を図２〜５に示すような筒状に保持できる構造であれば良く、差し込み片４９ａ及び係止部４９ｂは左右略中央に１つ設けられるのでも良いし、係止部４９ｂを設けずに差し込み片４９ａを糊代片として後面板４４の下端部に貼着する構造としても良い。
【００２９】
また、前面板４２と後面板４４の略中央の対向する位置には、レンズ孔（前面レンズ孔４７ａ、後面レンズ孔４７ｂ）が設けられている。そして、内板４６の略中央から上端部にかけて、前面レンズ孔４７ａ及び後面レンズ孔４７ｂと対向する位置にレンズ４０（図１には図示せず）を固定することが可能なレンズ嵌め込み部４８が設けられている。ここ
で、レンズ嵌め込み部４８は、図１に示すように、レンズ４０を嵌合可能な略円形状の上方が当該略円形状部分の直径よりやや狭い幅で開口した形状となっている。これにより、内板４６の上端部（レンズ嵌め込み部４８の上方開口部）からレンズ４０を押し入れて略円形状部分にレンズ４０を嵌め込むことにより、レンズ４０を内板４６に固定することが可能となる。
また、レンズ４０は、両面に凸状に突出した凸レンズであることが好ましく、レンズ４０の材質にはガラス若しくは有機ガラスなどの透明なプラスチックが使用される。レンズの径、焦点距離、倍率は包装箱２の大きさに合わせて適宜選択できる
レンズ部材４を図１に示すブランクシートの状態から図２〜５に示すような形態へと組み立てる際には、まず、レンズ４０を内板４６のレンズ嵌め込み部４８に嵌め込み固定する。次に、内板４６の下端部に連設している接続板４５、後面板４４、上面板４３、前面板４２、及び底面板４１をそれぞれ境界部に設けられた折り曲げ線を利用して折り曲げる。これにより、後面板４４と前面板４２が内板４６を間に挟んで対向し、接続板４５の外側を底面板４１が覆うように組み立てられる。そして、底面板４１の先端部に設けられた差し込み片４９ａを係止部４９ｂに差し込むことにより、図２〜５に示す形態のレンズ部材４の組み立てが完了する。
【００３０】
組み立てが完了したレンズ部材４は、前面板４２と後面板４４に挟まれた内板４６にレンズ４０が固定されており、上面板４３及び底面板４１の長さ（奥行き）をレンズ４０の厚みと略同等に設計することにより、レンズ４０は前面板４２の前面レンズ孔４７ａ及び後面板４４の後面レンズ孔４７ｂから突出しない状態とすることが可能となる。これにより、レンズ４０を用いた投影にレンズ孔（前面レンズ孔４７ａ及び後面レンズ孔４７ｂ）の周囲の板紙が影響することなく、かつ、レンズ４０の損傷を防止することも可能なレンズ部材４とすることが可能となる。
【００３１】
レンズ部材４は、映像投影機能付き包装容器１を包装容器として利用する場合には、図２に示すように、包装箱２の前後面に略平行に配置する仕切り部材として利用される。そして、映像投影機能付き包装容器１を投影装置として利用する際には、図３に示すように、包装箱２の前面板２２の内側に前面板４２が接するように配置移動する。なお、このとき、前面板４２及び蓋部材３の前面板貼り付け部３１に設けられているレンズ孔形成部２１及び蓋部材レンズ孔形成部３４は、後述する通り、予め切り抜いて開口しておく。
【００３２】
次に、端末保持部材５について説明する。
本実施形態において、端末保持部材５は左側端末保持部材５１と右側端末保持部材５２とからなる左右一対の部材としているが、これに限らず、映像表示可能な携帯端末６のディスプレイ６１をレンズ４に対峙する状態に保持できれば良く、端末保持部材５を１つの部材で構成するのであっても良い。
また、端末保持部材５を構成するブランクシートは、映像表示可能な携帯端末６のディスプレイ６１をレンズ４に対峙する状態に保持することが可能な程度の強度を備えていれば良く、具体的には厚紙や段ボール紙が好適に使用される。
【００３３】
本実施形態における端末保持部材５は前述の通り、左側端末保持部材５１と右側端末保持部材５２とからなる左右一対の部材であるため、左側端末保持部材５１及び右側端末保持部材５２はそれぞれ、映像表示可能な携帯端末６の１つの隅部を把持する形態を構成する。
【００３４】
端末保持部材５のうち、左側端末保持部材５１を構成するブランクシートは、図１に示すように、底面板５３、立ち上がり板５４、上面板５５、背面板５６、糊代片５７の順に折り曲げ線を介して連設され、底面板５３と立ち上がり板５４の境界線から上面板５５と背面板５６の境界線に至る部分に２本の切り込み線５９、５９が設けられている。２本の
切り込み線５９、５９は、底面板５３と立ち上がり板５４の境界線及び上面板５５と背面板５６の境界線と略直角を成すようにして、映像表示可能な携帯端末６の厚さと略同等の距離だけ離れて略平行に形成される。
【００３５】
左側端末保持部材５１の組み立ては以下のようにして行う。
まず、底面板５３、立ち上がり板５４、上面板５５、背面板５６、及び糊代片５７を、それぞれの境界線に設けられた折り曲げ線を利用して折り曲げ、糊代片５７を底面板５３の内側に貼着することにより、四角筒形状とする。このとき、底面板５３と上面板５５、立ち上がり板５４と背面板５６が、それぞれ対向する面を構成する。次に、２本の切り込み線５９、５９に挟まれた領域である折り込み片５８のうち、立ち上がり板５４と上面板５５の境界線を前記四角筒の内方へと押し込む。これにより、折り込み片５８が背面板５６（糊代片５７）と背面板５６の内側に接するように折り込まれて、図４に示すような四角筒の一部の上面板５５と立ち上がり板５４とが開放された形状に組み立てられる。
なお、折り込み片５８は、前述の通り折り込むだけでも良いし、折り込み片５８の裏側に糊等の接着剤を塗布した状態で折り込むことにより、背面板５６（糊代片５７）及び背面板５６の内側と折り込み片５８の裏側とを接着させても良い。
【００３６】
組み立てた左側端末保持部材５１を用いて映像表示可能な携帯端末６を保持する際には、図５に示すように、折り込み片５８を折り込んで形成された上面板５５と立ち上がり板５４の開放部分で映像表示可能な携帯端末６の隅部を挟み込んで使用する。
【００３７】
右側端末保持部材５２についても、左側端末保持部材５１と同様のブランクシートを組み立てて、図４に示すような四角筒の一部の上面板５５と立ち上がり板５４とが開放された形状に組み立てる。
【００３８】
左側端末保持部材５１及び右側端末保持部材５２は、映像投影機能付き包装容器１を投影装置として利用する使用者の利便性を考慮すれば、物品を収納して輸送する包装容器として利用する場合も含めて予め組み立てておくことが好ましい。
ただし、包装容器として利用する場合に略四角筒形状に組み立てられていると、包装容器内の収納物品に押される等して変形してしまったり、物品を収納できないデッドスペースが生じたりする不具合があるため、包装容器として利用する際には、前述の通りに組み立てた後、底面板５３と背面板５６の間、及び、立ち上がり板５４と上面板５５の間の折り曲げを緩和して、図２に示すような偏平状で収納することが好ましい。
【００３９】
以上説明した部材からなる映像投影機能付き包装容器１を、物品を収納して輸送する包装容器として利用する場合には、図２（収納物品は図示せず）に示すように、個々の部材について説明した通りに組み立ててレンズ部材４を包装箱２の前後略中央に配置し、物品を収納し、左側端末保持部材５１及び右側端末保持部材５２を収納物品と包装箱２の間の隙間等に収納した後、蓋部材３の蓋板３２を包装箱２の底面板２４に対向するように倒して蓋部材３の差し込み片３３を蓋係止部２８に差し込むことにより、輸送用の包装容器として利用できる。
なお、輸送上の問題がなければ、左側端末保持部材５１及び右側端末保持部材５２は、その底面板５３と包装箱２の底面板２４の所定位置とが予め固定された状態とし、左側端末保持部材５１及び右側端末保持部材５２の底面板５３と背面板５６の間、及び、立ち上がり板５４と上面板５５の間の折り曲げを緩和させて偏平状に押し潰すようにして物品を収納するのであっても良い。
【００４０】
次に、包装容器として利用した映像投影機能付き包装容器１を、投影装置として利用する場合に使用者が行う作業について説明する。
映像投影機能付き包装容器１を、包装容器から投影装置へと変形する際には、まず、包装
箱２内に収納されているものを全て取り出す。具体的には、収納物品、レンズ部材４、左側端末保持部材５１及び右側端末保持部材５２を取り出す。その後、包装箱２のレンズ孔形成部２１（内側レンズ孔形成部２１ｂ）及び蓋部材３の前面板貼り付け部３１の蓋部材レンズ孔形成部３４を切り抜いてレンズ孔を開口する。そして、図３（蓋部材３及び端末保持部材設置場所２７の図示は省略）に示すように、レンズ部材４を包装箱２の前面板２２の内側にレンズ部材４の前面板４２が接するように配置移動する。
なお、レンズ孔の開口作業の障害にならなければ、レンズ部材４は、図２に示したように仕切り部材として利用していた位置のまま取り出さずに、レンズ孔開口後、そのまま水平移動させるのであっても良い。ただし、不慮の出来事によりレンズ部材４のレンズ４０が損傷する虞があることも考慮すれば、包装箱２の外部にレンズ部材４を取り出してからレンズ孔の開口作業を行うことが好ましい。また、輸送上の問題が無いとして、左側端末保持部材５１及び右側端末保持部材５２の底面板５３と包装箱２の底面板２４の所定位置とが予め固定された状態としていた場合は当然、左側端末保持部材５１及び右側端末保持部材５２の取り出しは行わない。
【００４１】
レンズ部材４を所定位置に配置した後、偏平状に収納されていた左側端末保持部材５１及び右側端末保持部材５２を、略四角筒形状にする。具体的には、緩和していた折り曲げ部分、底面板５３と背面板５６の間、及び、立ち上がり板５４と上面板５５の間の折り曲げを略直角に戻すことにより、図４に示すような四角筒の一部の上面板５５と立ち上がり板５４とが開放された形状とする。
その後、左側端末保持部材５１及び右側端末保持部材５２を包装箱２の底面板２４上に示された端末保持部材設置場所２７に配置する。このとき、映像投影機能付き包装容器１を投影装置として利用している間に外部からの振動等を受けて左側端末保持部材５１及び右側端末保持部材５２の位置が変化し、それにより映像表示可能な携帯端末６のディスプレイ６１とレンズ４０との位置関係も変化して映像投影に支障をきたすことのないようにするため、左側端末保持部材５１及び右側端末保持部材５２は包装箱２の底面板２４上の所定位置に固定できるようにすることが好ましい。左側端末保持部材５１及び右側端末保持部材５２を底面板２４上に固定する方法は特に限定されず、例えば、左側端末保持部材５１及び右側端末保持部材５２の底面板５３の下面に糊等の接着剤を塗布したり両面テープ等を貼り付けたりすることにより、接着固定するのでも良いし、端末保持部材設置場所２７に切り込みを入れておき、左側端末保持部材５１及び右側端末保持部材５２の底面板５３の一部を当該切り込みに差し込むことにより係止固定するのも良い。
【００４２】
左側端末保持部材５１及び右側端末保持部材５２を端末保持部材設置場所２７に配置した後、図４及び５（蓋部材３の図示は省略）に示す通り、映像表示可能な携帯端末６の隅部を左側端末保持部材５１及び右側端末保持部材５２に挟み込むようにして配置固定する。このとき、映像表示可能な携帯端末６のディスプレイ６１がレンズ４０と正対するようにする。
その後、映像表示可能な携帯端末６のディスプレイ６１に投影したい映像を表示させた状態で蓋部材３（図３〜５には図示せず）の蓋板３２を閉じることにより、映像投影機能付き包装容器１を投影装置として利用することができる。
【００４３】
なお、映像表示可能な携帯端末６を端末保持部材５（左側端末保持部材５１及び右側端末保持部材５２）に固定して映像を表示する場合には、映像表示可能な携帯端末６のディスプレイ６１には上下左右を反転させた反転映像を表示させる。ディスプレイ６１の上下を逆さにした状態で左右逆の映像を投影するのでも良いし、正位置のままで反転映像を表示するのでも良い。また、包装箱２内の端末保持部材５と前面板２２との間に鏡を配置することによりレンズ４０に入射する映像の上下左右を反転させるのでも良い。
上下左右が反転した反転映像がレンズ４０に入射することにより、レンズ４０の前方に上下左右が正しい位置の映像の実像を投影することが可能となる。
【００４４】
以上説明したように、映像投影機能付き包装容器１に収納された物品を購入した使用者は、予め組み立てられている部材を所定配置に配置し、手持ちの映像表示可能な携帯端末６を配置するだけで映像表示可能な携帯端末６のディスプレイ６１に表示される映像を手軽に拡大して投影できる投影装置として利用することが可能となる。
【００４５】
＜第２の実施形態＞
以下、本発明を実施するための第２実施形態につき図６、７を参照して説明する。
【００４６】
本実施形態の映像投影機能付き包装容器１０は、中仕切り部材７が加わる以外は第１の実施形態の映像投影機能付き包装容器１と同様である。このため、図６、７においても、変更部分である中仕切り部材７以外の符号は省略している場合がある。
【００４７】
中仕切り部材７を構成するブランクシートは、図６に示すように、包装箱２の底面板２４上に配置する底面板７０の略中央部に折り曲げ起立するレンズ保護部７１が形成されており、包装箱２の側面の間の左右幅を仕切る仕切り部７２がレンズ保護部７１の上下に２箇所形成されている。
【００４８】
レンズ保護部７１は、立ち上げることによりレンズ部材４と中仕切り部材７との位置関係を固定する役割を果たすと共に、レンズ部材４内のレンズ４０の損傷を防止する効果を有する。
レンズ部材４は、前述の通り、レンズ部材４自体の構造上、レンズ４０が前面板４２の前面レンズ孔４７ａ及び後面板４４の後面レンズ孔４７ｂから突出しない状態となっており、レンズ４０を用いた投影にレンズ孔（前面レンズ孔４７ａ及び後面レンズ孔４７ｂ）の周囲の板紙が影響することなく、かつ、レンズ４０の損傷を防止することも可能な構造としている。しかし、輸送時に収納物品が動いてレンズ部材４のレンズ４０を傷つけたり、仕切り部材として収納されているレンズ部材４の位置がずれて何らかの破損が生じたりする可能性まで考慮すれば、本実施形態のようなレンズ保護部７１を有する中仕切り部材７を使用することが好ましい。
なお、レンズ保護部７１の形状は本実施形態においては略台形状としているが、これに限らず、レンズ部材４との位置関係固定とレンズ４０の損傷防止の効果が得られれば良く、具体的には、四角形状、三角形状、若しくは曲線を含む形状としても良い。
【００４９】
また、仕切り部７２は、底面板７０に連設して設けられており、立ち上がり板７３、上面板７４、立ち上がり板７３、下面板７５の順に折り曲げ線を介して連設されている。本実施形態においては、１つの仕切り部７２において、立ち上がり板７３、上面板７４、立ち上がり板７３、及び下面板７５で構成される単位仕切りを２つ連続して設けている。
なお、映像投影機能付き包装容器１０を、物品を収納して輸送する包装容器として利用する場合の収納物品の形状や個数に応じて、仕切り部７２の数や仕切り部７２内に設ける単位仕切りの数は適宜調整可能である。
【００５０】
中仕切り部材７を図６に示すブランクシートの状態から図７（ａ）に示すような形態へと組み立てる際には、レンズ保護部７１の立ち上げと仕切り部７２の組み立てを行う。
レンズ保護部７１の立ち上げは、略台形のレンズ保護部７１の側辺及び上辺の切り取り線を切り離し、底辺の折り曲げ線を略直角に折り曲げることにより行う。
次に、仕切り部７２の組み立ては、底面板７０に連設する立ち上がり板７３、上面板７４、立ち上がり板７３、及び下面板７５を、順次折り曲げ線で略直角に折り曲げて組み立てる。これにより、上面板７４の左右に連設する２つの立ち上がり板７３、７３が背中合わせに対向し、下面板７５が底面板７０と略同一高さの平面を形成し、図７（ａ）に示すような形態への組み立てが完了する。
【００５１】
映像投影機能付き包装容器１０を、物品を収納して輸送する包装容器として利用する場合は、図７（ｂ）（収納物品は図示せず）に示すように、中仕切り部材７を包装箱２の底面板２４上に載置した後にレンズ部材４を包装箱２の前後略中央に配置し、物品を収納し、左側端末保持部材５１及び右側端末保持部材５２を収納物品と包装箱２の間の隙間等に収納した後、蓋部材３の蓋板３２を包装箱２の底面板２４に対向するように倒して蓋部材３の差し込み片３３を蓋係止部２８に差し込むことにより、輸送用の包装容器として利用できる。
【００５２】
次に、包装容器として利用した映像投影機能付き包装容器１０を、投影装置として利用する場合に使用者が行う作業について説明する。
映像投影機能付き包装容器１０を、包装容器から投影装置へと変形する際には、まず、包装箱２内に収納されているものを全て取り出す。具体的には、収納物品、中仕切り部材７、レンズ部材４、左側端末保持部材５１及び右側端末保持部材５２を取り出す。その後のレンズ孔の開口、レンズ部材４の配置移動、端末保持部材５及び映像表示可能な携帯端末６の配置については、第１の実施形態の映像投影機能付き包装容器１の場合と同様である。
【００５３】
以上説明したように、映像投影機能付き包装容器１０に収納された物品を購入した使用者は、予め組み立てられている部材を所定配置に配置し、手持ちの映像表示可能な携帯端末６を配置するだけで映像表示可能な携帯端末６のディスプレイ６１に表示される映像を手軽に拡大して投影できる投影装置として利用することが可能となる。
【符号の説明】
【００５４】
１、１０・・・映像投影機能付き包装容器
２・・・包装箱
２１・・・レンズ孔形成部
２１ａ・・・外側レンズ孔
２１ｂ・・・内側レンズ孔形成部
２２・・・前面板
２２ａ・・・外側前面板
２２ｂ・・・接続板
２２ｃ・・・内側前面板
２３・・・後面板
２３ａ・・・外側後面板
２３ｂ・・・接続板
２３ｃ・・・内側後面板
２４・・・底面板
２５・・・側面板
２５ａ・・・外側側面板
２５ｂ・・・接続板
２５ｃ・・・内側側面板
２６・・・側面フラップ
２６ａ・・・外側側面フラップ
２６ｂ・・・内側側面フラップ
２７・・・端末保持部材設置場所
２８・・・蓋係止部
３・・・蓋部材
３１・・・前面板貼り付け部
３２・・・蓋板
３３・・・差し込み片
３４・・・蓋部材レンズ孔形成部
４・・・レンズ部材
４０・・・レンズ
４１・・・底面板
４２・・・前面板
４３・・・上面板
４４・・・後面板
４５・・・接続板
４６・・・内板
４７ａ・・・前面レンズ孔
４７ｂ・・・後面レンズ孔
４８・・・レンズ嵌め込み部
４９ａ・・・差し込み片
４９ｂ・・・係止部
５・・・端末保持部材
５１・・・左側端末保持部材
５２・・・右側端末保持部材
５３・・・底面板
５４・・・立ち上がり板
５５・・・上面板
５６・・・背面板
５７・・・糊代片
５８・・・折り込み片
５９・・・切り込み線
６・・・映像表示可能な携帯端末
６１・・・ディスプレイ
７・・・中仕切り部材
７０・・・底面板
７１・・・レンズ保護部
７２・・・仕切り部
７３・・・立ち上がり板
７４・・・上面板
７５・・・下面板
【図１】
2018120079.tif 000003
【図２】
2018120079.tif 000004
【図３】
2018120079.tif 000005
【図４】
2018120079.tif 000006
【図５】
2018120079.tif 000007
【図６】
2018120079.tif 000008
【図７】
2018120079.tif 000009